【手続補正書】
【提出日】平成25年3月26日(2013.3.26)
【手続補正１】
【補正対象書類名】特許請求の範囲
【補正対象項目名】全文
【補正方法】変更
【補正の内容】
【特許請求の範囲】
【請求項１】
薬物送達デバイスであって：
−薬物用のレセプタクル（６）を有する本体（４）；
−本体中のピストンロッド（８）、ここでピストンロッドは、本体に対して移動可能であり、そして、レセプタクルから薬物を放出するように供され；
−薬物送達中にピストンロッドを駆動するために提供される機構（１１、１２、１３、１４、）、ここでピストンロッドは機構に対して出発位置を有し；
−薬物送達中、本体に対してピストンロッドの移動を誘導するためのデバイス（１３、１４、１７、２５）；及び
−移動を誘導するデバイスからピストンロッドを解放するためのデバイス（１５）、ここでデバイスはピストンロッドを出発位置へリセットすることを可能とし；及び
−ここでピストンロッド（８）のリセットはピストンロッド（８）の重量により発生し、重力によりピストンロッド（８）をリセットするか、又はピストンロッド（８）のリセットがスプリングエレメント（４０、４１、４３）により発生する；
を含む、デバイス。
【請求項２】
−ピストンロッドナット（１４）を含むピストンロッド（８）の移動を誘導するためのデバイス；
−本体（４）に対してピストンロッドナットを固定するためのデバイス（１３、２５）；
−ピストンロッドナットを本体に対して固定されているのを解放するために供されるスプリング（１５）を含むピストンロッドを解放するためのデバイス；及び
−ピストンロッドナットが解放され、そして薬物送達デバイスが、重力でピストンロッドを出発位置の方向へ駆動させる方法で向けられるとき、重力によってピストンロッドをリセットする重量を有するピストンロッド（８）；
を更に含む、請求項１に記載の薬物送達デバイス。
【請求項３】
−ねじ山（９）を含むピストンロッド（８）；
−ピストンロッドのねじ山に対応するネジ山を含み、そしてピストンロッドのねじ山と係合するピストンロッドナット（１４）；
−ロックナット（１３）；
−本体（４）に対してロックナットの回転を阻害するためのデバイス（２５）；
−ロックナット（１３）に対してピストンロッドナット（１４）を固定するためのデバイス（１７）；及び
−ロックナット（１３）に対して、スプリングが、ピストンロッドナット（１４）を固定するためのデバイス（１７）から、ロックナットを解放させる方法でロックナット（１３）に配置されているスプリング（１５）；
を更に含む、請求項２に記載の薬物送達デバイス。
【請求項４】
ピストンロッド（８）及びピストンロッドナット（１４）が、秒速２ｍｍの摺動表面の相対速度で、多くとも０．２５の摺動摩擦係数μの値を有する合成又はプラスチック材料から形成される、請求項３に記載の薬物送達デバイス。
【請求項５】
ピストンロッドナット（１４）が本体（４）に接触し；そして、本体及びピストンロッドナットが、秒速２ｍｍの摺動表面の相対速度で、多くとも０．２５の摺動摩擦係数μの値を有する合成又はプラスチック材料から形成される、請求項３又は４に記載の薬物送達デバイス。
【請求項６】
ピストンロッド（８）が軸（１８）を有し、そして、ピストンロッドのねじ山（９）により形成されるらせんの接線が軸に対して少なくとも２５°の角度を作る、請求項３〜５のいずれか１項に記載の薬物送達デバイス。
【請求項７】
−ピストンロッド（８）の更なるねじ山（１０）；
−軸（１８）を有するピストンロッド、ピストンロッドの更なるねじ山（１０）により形成されたらせんの接線が軸に対して、少なくとも４０°の角度を作り；
−ピストンロッドの更なるねじ山（１０）に対応するネジ山（１２）を有し、そして、ピストンロッドの更なるねじ山と係合する駆動スリーブ（１１）を含む機構；及び
−ピストンロッドの更なるねじ山（１０）に従って駆動スリーブ（１１）に対してピストンロッドのらせん移動を含むピストンロッドの出発位置へのリセット；
を更に含む、請求項３〜６のいずれか１項に記載の薬物送達デバイス。
【請求項８】
ピストンロッド（８）及び駆動スリーブ（１１）が、秒速２ｍｍの摺動表面の相対速度で、多くとも０．２５の摺動摩擦係数μの値を有する合成又はプラスチック材料で形成される請求項７に記載の薬物送達デバイス。
【請求項９】
合成又はプラスチック材料が、粗度を測定して、１．６μｍより小さい中心線平均を有する表面を備えている、請求項４、５及び８のいずれか１項に記載の薬物送達デバイス。
【請求項１０】
−薬物送達中、本体（４）に対してピストンロッドの回転を発生させるために供されているピストンロッド（８）の移動を誘導するためのデバイス（１３、１４、１７、２５）；
−スプリングエレメント（４０、４１、４３）を含む機構；
−薬物送達中スプリングエレメントをピストンロッドの回転方向と反対の回転方向に回転させる方法で、薬物送達中、ピストンロッドの回転により負荷をかけられているスプリングエレメント；
−薬物送達中、ピストンロッドの回転方向と反対の回転方向への回転を含むピストンロッドの出発位置へのリセット；及び
−スプリングエレメントの回転が、同じ回転方向のピストンロッドの回転を発生させる方法で、ピストンロッドと係合しているスプリングエレメント；
を更に含む、請求項１に記載の薬物送達デバイス。
【請求項１１】
−ピストンロッド（８）における少なくとも１つのネジ溝（４２）；
−側壁を備えた孔を有するリセットナット（４３）；
−側壁上に少なくとも１つのスプライン（４１）；
−孔を経由して通過するピストンロッド（８）、リセットナット及びピストンロッドが回転を封鎖される方法で、スプライン（４１）と係合するネジ溝（４２）；及び
−本体（４）及びリセットナット（４３）に取付られたスプリング（４０）によって、リセットナットが本体に対して移動されることなく、本体に対して回転可能な方法で、供されているスプリングエレメント；
を更に含む、請求項１０に記載の薬物送達デバイス。
【請求項１２】
−ピストンロッドナット（１４）を含むピストンロッド（８）の移動を誘導するデバイス；
−本体（４）に対してピストンロッドナットを固定するためのデバイス（１３、２５）；及び
−ピストンロッドナットを本体に対して固定されているのを解放するために供されたスプリング（１５）を含むピストンロッド解放のためのデバイス；
を更に含む、請求項１０又は１１記載の薬物送達デバイス。
【請求項１３】
ピストンロッド（８）及びピストンロッドナット（１４）が、秒速２ｍｍの摺動表面の相対速度で、多くとも０．２５の摺動摩擦係数μの値を有する合成又はプラスチック材料で形成される、請求項１２に記載の薬物送達デバイス。
【請求項１４】
ピストンロッドナット（１４）が本体（４）と接触して配置され；そして、ピストンロッドナットが、秒速２ｍｍの摺動表面の相対速度で、多くとも０．２５の摺動摩擦係数μの値を有する合成又はプラスチック材料で形成される請求項１２又は１３に記載の薬物送達デバイス。
【請求項１５】
スプリング（４０）がリセットナット（４３）によって運ばれるらせん状スプリングである請求項１０〜１４のいずれか１項に記載の薬物送達デバイス。
【請求項１６】
レセプタクル（６）が薬物を含むカートリッジを挿入することにより充填されるように提供される、請求項１〜１５のいずれか１項に記載の薬物送達デバイス。